(57)【要約】【課題】装置の操作実績に応じて一部の処理を省略する。【解決手段】薬剤登録装置は、記憶部と、入力手段と、実行手段と、判定手段と、を備える。前記記憶部は、操作者の操作実績に関する情報を含む操作者の情報を有する操作者マスタを記憶する。前記入力手段は、薬剤の情報について各種操作を入力する。前記実行手段は、前記入力手段から入力された各種操作に応じた薬剤登録に関する処理を実行する。前記判定手段は、前記入力手段から各種操作を入力した操作者の操作実績を判定する。更に、前記実行手段は、前記判定手段により判定された操作実績に応じて前記処理の一部を省略する。【選択図】図２
2015041286.tif 000002
【特許請求の範囲】
【請求項１】
操作者の操作実績に関する情報を含む操作者の情報を有する操作者マスタを記憶する記憶部と、
薬剤の情報について各種操作を入力する入力手段と、
前記入力手段から入力された各種操作に応じた薬剤登録に関する処理を実行する実行手段と、
前記入力手段から各種操作を入力した操作者の操作実績を判定する判定手段と、
を備え、
前記実行手段は、前記判定手段により判定された操作実績に応じて前記処理の一部を省略する、
薬剤登録装置。
【請求項２】
前記判定手段は、前記入力手段から入力された操作の重要度が高い場合には、前記操作者の操作実績に関わらず処理を省略しない、
請求項１に記載の薬剤登録装置。
【請求項３】
前記判定手段は、前記操作者が所定の期間内に使用した頻度を基に判定する、
請求項１または２に記載の薬剤登録装置。
【請求項４】
前記判定手段は、２以上の段階で表現される操作実績の度合いと、２以上の段階で表現される操作の重要度の度合いとから判定する、
請求項１〜３の何れか一項に記載の薬剤登録装置。
【請求項５】
前記判定手段は、前記操作者が実行した操作の内容ごとに操作実績を判定する、
請求項１〜４の何れか一項に記載の薬剤登録装置。
【請求項６】
操作者の操作実績に関する情報を含む操作者の情報を有する操作者マスタを記憶する記憶部を有するコンピュータを、
前記読取手段が読み取った薬剤の情報について各種操作を入力する入力手段と、
前記入力手段から入力された各種操作に応じた薬剤登録に関する処理を実行する実行手段と、
前記入力手段から各種操作を入力した操作者の操作実績を判定する判定手段と、
として機能させ、
前記実行手段は、前記判定手段により判定された操作実績に応じて前記処理の一部を省略する、
プログラム。
【発明の詳細な説明】
【技術分野】
【０００１】
本発明の実施形態は、薬剤登録装置およびプログラムに関する。
【背景技術】
【０００２】
従来、薬剤の取り違い等の過誤の発生を防止するために幾つかのシステムが提案されている。例えば、特許文献１記載のシステムにおいては、投薬しようとしている薬剤の容器に付されたバーコードで特定される薬剤情報と、投薬すべき薬剤の情報とを照合し、薬剤の誤使用を防止している。
【０００３】
手術室においては、看護師が、手術で使用された薬剤の空容器を手術後に集め、使用薬剤についての集計結果を伝票に手作業で記入した後、伝票を医事課へ提出する作業を行っていた。
【０００４】
そこで、装置によって手術室における使用薬剤を記録することで効率化を図ることが考えられるが、装置の操作実績が豊富な場合においても初心者向けの画面等が表示されると、かえって効率化が損なわれることから改善の余地がある。
【発明の概要】
【発明が解決しようとする課題】
【０００５】
本発明が解決しようとする課題は、装置の操作実績に応じて処理の一部を省略することができる薬剤登録装置およびプログラムを提供することである。
【課題を解決するための手段】
【０００６】
実施形態の薬剤登録装置は、記憶部と、記憶部と、入力手段と、実行手段と、判定手段と、を備える。前記記憶部は、操作者の操作実績に関する情報を含む操作者の情報を有する操作者マスタを記憶する。前記入力手段は、薬剤の情報について各種操作を入力する。前記実行手段は、前記入力手段から入力された各種操作に応じた薬剤登録に関する処理を実行する。前記判定手段は、前記入力手段から各種操作を入力した操作者の操作実績を判定する。更に、前記実行手段は、前記判定手段により判定された操作実績に応じて前記処理の一部を省略する。
【図面の簡単な説明】
【０００７】
【図１】図１は、実施形態にかかる薬剤管理システムの概要構成を示すブロック図である。
【図２】図２は、薬剤登録装置の外観を示す正面図である。
【図３】図３は、薬剤登録装置のハードウェア構成を示すブロック図である。
【図４】図４は、操作者マスタのデータフォーマットの一例の説明図である。
【図５】図５は、薬剤登録装置の機能構成を示すブロック図である。
【図６】図６は、薬剤登録装置のＭＰＵが制御プログラムに従って実行する使用薬剤登録処理の流れを示すフローチャートである。
【図７】図７は、ログイン画面の一例を示す説明図である。
【図８】図８は、患者登録画面の一例を示す説明図である。
【図９】図９は、薬剤登録開始画面の一例を示す説明図である。
【図１０】図１０は、薬剤登録画面の一例を示す説明図である。
【図１１】図１１は、まとめ表示確認画面の一例を示す説明図である。
【図１２】図１２は、まとめ実行後画面の一例を示す説明図である。
【図１３】図１３は、印刷確認画面の一例を示す説明図である。
【発明を実施するための形態】
【０００８】
図１は、実施形態にかかる薬剤管理システム１０の概要構成を示すブロック図である。図１に示すように、薬剤管理システム１０は、電子カルテサーバ１１と、医師用の情報処理端末装置１２と、看護師用の情報処理端末装置１３と、薬剤監査装置１４と、無線基地局１５及び公衆通信ネットワーク１６を介して通信ネットワーク１７に接続された医師用の携帯情報処理端末装置１８と、薬剤部サーバ１９と、薬剤登録装置２０と、を備えている。
【０００９】
電子カルテサーバ１１は、電子カルテを管理し、記憶するための装置である。医師用の情報処理端末装置１２は、電子カルテの記入などを行うための装置である。看護師用の情報処理端末装置１３は、電子カルテサーバ１１が管理する電子カルテの参照及び確認を行うための装置である。薬剤監査装置１４は、電子カルテに含まれる指示書情報（例えば、処方箋情報）に基づいて薬剤の取揃え等の支援および監査を行うための装置である。薬剤部サーバ１９は、薬剤部に配置され薬剤払出等を管理するための装置である。また、薬剤部サーバ１９は、薬剤のコード情報または薬剤の外面情報（薬剤のラベルを表す特徴量、薬剤の色合いや表面の凹凸状況等の表面の状態を表す特徴量など）に対応付けて薬剤に係る薬剤情報（名称、量など）を登録している。薬剤登録装置２０は、手術室に配置され、看護師によって手術中に使用された薬剤、あるいは救急の場などにおいて看護師や薬剤師等によって緊急的に使用された薬剤の登録支援を行うための装置である。本実施形態においては、薬剤登録装置２０は、手術室に配置されるものであって、看護師によって手術中に使用された薬剤の登録支援に用いられることを想定する。
【００１０】
上記構成において、電子カルテサーバ１１、情報処理端末装置１２、情報処理端末装置１３、薬剤監査装置１４、薬剤部サーバ１９及び薬剤登録装置２０は、通信ネットワーク１７に接続されている。
【００１１】
図２は、薬剤登録装置２０の外観を示す正面図である。図２に示すように、薬剤登録装置２０は、大別すると、薬剤登録装置２０の制御主体となる装置本体部２４と、スキャナ２２と、各種情報をプリントアウトするためのプリンタ２３とを備えている。
【００１２】
装置本体部２４は、操作者となる看護師が各種操作を行うとともに、使用された薬剤のリスト等の各種情報を表示可能なタッチパネルディスプレイ２１を備えている。
【００１３】
スキャナ２２は、カラーＣＣＤ（Charge  Coupled  Device）イメージセンサやカラーＣＭＯＳ（Complementary  Metal-Oxide  Semiconductor）イメージセンサ等のイメージセンサとＬＥＤ（Light  Emitting  Diode）などの光源とを有している。スキャナ２２は、看護師ＩＤ（IDentification）のコードシンボル、患者ＩＤのコードシンボル、薬剤のコードシンボル、薬剤の画像などの撮像を行う。スキャナ２２が所定のフレームレートで順次撮像したフレーム画像（撮像画像）は、後述するＲＡＭ（Random  Access  Memory）３３（図３参照）に保存される。
【００１４】
なお、スキャナ２２は、図２に示すようなテーブル上に載置する形状に限るものではなく、床上に立設させるスタンド形状であってもよい。
【００１５】
また、薬剤登録装置２０は、薬剤の重量を測定する秤や、薬剤に付されたＲＦＩＤ（Radio  Frequency  IDentification）との間でデータの読取り／書込みを行うＲＦＩＤリーダライタ等を備えていてもよい。
【００１６】
図３は、薬剤登録装置２０のハードウェア構成を示すブロック図である。図３に示すように、薬剤登録装置２０は、装置全体を制御するＭＰＵ（Micro  Processing  Unit）３１と、ＲＯＭ（Read  Only  Memory）３２と、ＲＡＭ３３と、外部記憶装置３４と、通信インタフェース動作を行う通信インタフェース（Ｉ／Ｆ）３８とを装置本体部２４に備えている。ＲＯＭ３２は、制御プログラムを含む各種データを不揮発的に記憶する。ＲＡＭ３３は、ワークエリアとして機能するとともに、各種データを一時的に記憶する。外部記憶装置３４は、データベース等の大容量データや制御プログラムを記憶可能なハードディスクドライブ、ＳＳＤ（Solid  State  Drive）によって構成されている。
【００１７】
ここで、タッチパネルディスプレイ２１、スキャナ２２、プリンタ２３及び通信インタフェース３８は、入出力Ｉ／Ｏ３９を介してバス４０に接続されている。このバス４０には、ＭＰＵ３１、ＲＯＭ３２、ＲＡＭ３３及び外部記憶装置３４が接続されている。
【００１８】
なお、タッチパネルディスプレイ２１は、表示部であるディスプレイ３５及びタッチパネル３６を主体に構成されている。
【００１９】
また、記憶部である外部記憶装置３４は、薬剤マスタＤＢ１と、操作者マスタＤＢ２と、使用薬剤記憶テーブルＴとを備える。薬剤マスタＤＢ１は、薬剤の名称などの薬剤情報を記憶するデータベースである。薬剤マスタＤＢ１は、コード情報と、薬剤の名称などの薬剤情報とを関連付けて記憶する。
【００２０】
操作者マスタＤＢ２は、薬剤登録装置２０の操作者ごとの操作実績に関する情報を含む操作者の情報を有するデータベースである。ここで、図４は、操作者マスタＤＢ２のデータフォーマットの一例の説明図である。操作者マスタＤＢ２は、コード情報と、氏名と、前回ログイン日時と、使用頻度と、訂正頻度とを関連付けて記憶する。コード情報は、操作者を識別する情報である。氏名は、操作者の名前である。前回ログイン日時は、操作者が、前回、薬剤登録装置２０にログインした日時である。使用頻度は、操作者の薬剤登録装置２０の使用頻度である。例えば、過去１０日間の薬剤登録装置２０の使用回数などの情報である。訂正頻度は、操作者の薬剤登録装置２０の訂正頻度である。例えば、過去１０日間に薬剤登録装置２０を使用完了後の訂正回数などの情報である。
【００２１】
使用薬剤記憶テーブルＴは、使用された薬剤についての集計結果を記憶する。
【００２２】
このような構成により、薬剤登録装置２０のＭＰＵ３１は、ＲＯＭ３２や外部記憶装置３４に記憶された制御プログラムに従って動作することで、使用された薬剤の登録支援を行う。
【００２３】
次に、実施形態にかかる薬剤登録装置２０が有する特徴的な機能について説明する。図５は、薬剤登録装置２０の機能構成を示すブロック図である。ＭＰＵ３１は、ＲＯＭ３２や外部記憶装置３４に記憶された制御プログラムに従って動作することで、図５に示すように、登録手段３１１と、表示制御手段３１２と、読取手段３１３と、識別手段３１４と、印字制御手段３１５と、判定手段３１６と、入力手段３１７と、として機能する。これにより、実行手段であるＭＰＵ３１と制御プログラムとは、協働で薬剤登録に関する処理を実行する。
【００２４】
読取手段３１３は、スキャナ２２がスキャンした撮像画像から、薬剤の識別子を読み取る。具体的には、読取手段３１３は、使用される薬剤に付されたコードシンボルのコード情報または使用される薬剤の全部または一部の外面情報を読み取る。バーコードや二次元コードなどのコードシンボルからコード情報を検出する処理については、従来からある技術なのでここでの説明は省略する。
【００２５】
識別手段３１４は、読取手段３１３による読み取り結果として得られた情報（コード情報または外面情報）に基づいて薬剤を識別して薬剤情報を抽出する。具体的には、識別手段３１４は、読取手段３１３が読み取ったコード情報と一致するコード情報を薬剤マスタＤＢ１から検索することで識別する。
【００２６】
また、薬剤の外面情報に基づいて薬剤を識別する方法は、予めコード情報に対応付けて薬剤の外面情報をテーブルとして記憶しておき、外面情報に基づく薬剤の薬剤情報をテーブルから抽出するようにすればよい。
【００２７】
登録手段３１１は、識別手段３１４で識別された薬剤を、外部記憶装置３４の使用薬剤記憶テーブルＴに登録する。
【００２８】
入力手段３１７は、読取手段３１３が読み取った薬剤の情報の表示や、印刷などの各種操作の入力を制御する。入力手段３１７は、例えば、タッチパネルディスプレイ２１に表示された内容を基に、操作者がタッチパネル３６から入力した各種操作を制御する。
【００２９】
判定手段３１６は、薬剤登録装置２０を操作した操作者の操作実績の度合いを判定する。そして、薬剤登録に関する処理を協働で実行するＭＰＵ３１と制御プログラムとは、操作実績に応じて薬剤登録に関する処理の一部を省略する。薬剤登録に関する処理の一部とは、例えば、入力された操作を実行してもよいかを操作者に確認する確認画面などである。確認画面とは、例えば、印刷操作を実施した場合に、本当に印刷してもよいかを確認する画面などである。
【００３０】
判定手段３１６は、操作者マスタＤＢ２の前回ログイン日時と、使用頻度と、訂正頻度とを用いて操作実績を判定する。判定手段３１６は、薬剤登録装置２０を操作した実績が所定の閾値より高いか否かで操作実績を判定する。操作実績は、さまざまなデータや方法を基に判定する。具体的には、例えば、判定手段３１６は、操作者が前回ログインした日時が１０日以内であった場合に、操作実績が高いと判定する。一方、判定手段３１６は、操作者が前回ログインした日時が１０日以降であった場合に、操作実績が低いと判定する。または、判定手段３１６は、操作者の使用頻度が１０日以内に毎日使用している場合に、操作実績が高いと判定する。一方、判定手段３１６は、操作者の使用頻度が１０日以内に毎日使用していない場合に、操作実績が低いと判定する。または、判定手段３１６は、操作者の訂正頻度が１０日以内に訂正していない場合に、操作実績が高いと判定する。一方、判定手段３１６は、操作者の訂正頻度が１０日以内に訂正している場合に、操作実績が低いと判定する。
【００３１】
表示制御手段３１２は、表示部であるディスプレイ３５への表示を制御する。また、表示制御手段３１２は、判定手段３１６の判定結果に応じて確認画面を表示させる。判定手段３１６が操作者の操作実績が高いと判定した場合に表示制御手段３１２は、操作の確認画面を表示しない。一方、判定手段３１６が操作者の操作実績が低いと判定した場合に表示制御手段３１２は、操作の確認画面を表示する。
【００３２】
印字制御手段３１５は、印字部であるプリンタ２３を制御して印刷を制御する。
【００３３】
次に、上述した実施形態にかかる薬剤登録装置２０のＭＰＵ３１が制御プログラムに従って実行する使用薬剤登録処理について説明する。実施形態にかかる薬剤登録装置２０は、使用された薬剤のコードシンボルや薬剤の画像などをスキャンし、薬剤登録処理を実行する。
【００３４】
図６は、薬剤登録装置２０のＭＰＵ３１が制御プログラムに従って実行する使用薬剤登録処理の流れを示すフローチャートである。図７に示すように、薬剤登録装置２０のＭＰＵ３１は、初期状態として、ディスプレイ３５にログイン画面Ｇ１（図７参照）を表示する（ステップＳ１）。薬剤登録装置２０の操作が許可されている各操作者（看護師）は、ＩＤカードを有し、ＩＤカードの認証により薬剤登録装置２０の操作が可能になるものとする。
【００３５】
図７は、ログイン画面Ｇ１の一例を示す説明図である。ログイン画面Ｇ１には、図７に示すように、「ＩＤカードを読み取らせてください。」というガイドコメントが表示される。また、ログイン画面Ｇ１は、ＩＤカードに付されている看護師ＩＤのコードシンボルをスキャナ２２に読み込ませることを促すガイド画像を表示する。
【００３６】
したがって、操作者（看護師）は、ログイン処理を行うために、自己のＩＤカードに付された看護師ＩＤのコードシンボルをスキャナ２２の前にかざして、看護師ＩＤを読み込ませる。
【００３７】
薬剤登録装置２０のＭＰＵ３１は、ログイン処理により看護師ＩＤを認証すると（ステップＳ２；Ｙｅｓ）、ディスプレイ３５の表示画面に患者登録画面Ｇ２（図８参照）を表示する（ステップＳ３）。なお、薬剤登録装置２０のＭＰＵ３１は、看護師ＩＤが認証できない場合に（ステップＳ２；Ｎｏ）、ステップＳ１に戻り、ログイン画面Ｇ１を再度表示する。
【００３８】
ここで、図８は、患者登録画面Ｇ２の一例を示す説明図である。患者登録画面Ｇ２には、図８に示すように、「患者ＩＤを読み取らせてください。」というガイドコメントが表示される。また、患者登録画面Ｇ２は、患者のリストバンドに付されている患者ＩＤのコードシンボルをスキャナ２２に読み込ませることを促すガイド画像を表示する。
【００３９】
したがって、操作者（看護師）は、患者登録処理を行うために、患者のリストバンドに付されている患者ＩＤのコードシンボルをスキャナ２２の前にかざして、患者ＩＤを読み込ませる。
【００４０】
薬剤登録装置２０のＭＰＵ３１は、患者ＩＤを登録すると（ステップＳ４；Ｙｅｓ）、ステップＳ５に移行する。薬剤登録装置２０のＭＰＵ３１は、患者ＩＤが認証できない場合に（ステップＳ４；Ｎｏ）、ステップＳ３に戻り、患者登録画面Ｇ２を再度表示する。
【００４１】
次に、薬剤登録装置２０のＭＰＵ３１は、薬剤登録開始画面Ｇ３を表示させる（ステップＳ５）。ここで、図９は、薬剤登録開始画面Ｇ３の一例を示す説明図である。薬剤登録開始画面Ｇ３は、図９に示すように、薬剤のコードシンボルの読み取らせ方が表示される。
【００４２】
したがって、操作者（看護師）がスキャナ２２の前に薬剤をかざすと、薬剤登録装置２０のＭＰＵ３１は、コードシンボルを読み取る（ステップＳ６）。次に、薬剤登録装置２０のＭＰＵ３１は、薬剤登録画面Ｇ４を表示させる（ステップＳ７）。ここで、図１０は、薬剤登録画面Ｇ４の一例を示す説明図である。薬剤登録画面Ｇ４は、図１０に示すように、登録された薬剤の一覧が表示される。また、薬剤登録画面Ｇ４は、まとめ表示ボタンＢ１と、印刷ボタンＢ２とを備える。まとめ表示ボタンＢ１は、同じ薬剤が一覧の複数行に表示されている場合に、まとめることで同じ薬剤を一行に表示させる場合に押下するボタンである。印刷ボタンＢ２は、登録内容を印字する場合に表示するボタンである。
【００４３】
薬剤登録装置２０のＭＰＵ３１は、まとめ表示ボタンＢ１が押下されるか否かを判定する（ステップＳ８）。まとめ表示ボタンＢ１が押下されない場合に（ステップＳ８；Ｎｏ）、薬剤登録装置２０のＭＰＵ３１は、ステップＳ１３に移行する。
【００４４】
一方、まとめ表示ボタンＢ１が押下された場合に（ステップＳ８；Ｙｅｓ）、薬剤登録装置２０のＭＰＵ３１は、操作者（看護師）の操作実績を判定する（ステップＳ９）。
【００４５】
操作者（看護師）の操作実績が低いと判定した場合に（ステップＳ９；Ｎｏ）、薬剤登録装置２０のＭＰＵ３１は、まとめ表示確認画面Ｇ５を表示させる（ステップＳ１０）。ここで、図１１は、まとめ表示確認画面Ｇ５の一例を示す説明図である。まとめ表示確認画面Ｇ５は、図１１に示すように、まとめ表示の実行を確認する画面である。まとめ表示確認画面Ｇ５は、取消ボタンＢ３と、ＯＫボタンＢ４とを備える。取消ボタンＢ３は、まとめ表示を取り消すボタンである。ＯＫボタンＢ４は、まとめ表示を実行するボタンである。
【００４６】
取消ボタンＢ３が押下された場合に（ステップＳ１１；Ｙｅｓ）、薬剤登録装置２０のＭＰＵ３１は、まとめ表示を取り消しステップＳ８に戻る。取消ボタンＢ３が押下されない場合に（ステップＳ１１；Ｎｏ）、薬剤登録装置２０のＭＰＵ３１は、ステップＳ１２に移行する。ＯＫボタンＢ４が押下された場合に（ステップＳ１２；Ｙｅｓ）、薬剤登録装置２０のＭＰＵ３１は、まとめ実行後画面Ｇ６を表示させる（ステップＳ１３）。まとめ実行後画面Ｇ６は、まとめ表示を実行した後の画面である。図１２に示すように、ＢＢＢＢ薬は、薬剤登録画面Ｇ４において２行に表示されていたが１行で表示される。ここで、図１２は、まとめ実行後画面Ｇ６の一例を示す説明図である。一方、ＯＫボタンＢ４が押下されない場合に（ステップＳ１２；Ｎｏ）、薬剤登録装置２０のＭＰＵ３１は、ステップＳ１１に戻り待機する。
【００４７】
操作者（看護師）の操作実績が高いと判定した場合に（ステップＳ９；Ｙｅｓ）、薬剤登録装置２０のＭＰＵ３１は、まとめ表示確認画面Ｇ５を表示せずに、まとめ実行後画面Ｇ６を生成させる（ステップＳ１３）。
【００４８】
次いで、薬剤登録装置２０のＭＰＵ３１は、印刷ボタンＢ２が押下されるか否かを判定する（ステップＳ１４）。印刷ボタンＢ２が押下されない場合に（ステップＳ１４；Ｎｏ）、薬剤登録装置２０のＭＰＵ３１は、ステップＳ６に戻る。印刷ボタンＢ２が押下された場合に（ステップＳ１４；Ｙｅｓ）、薬剤登録装置２０のＭＰＵ３１は、操作者（看護師）の操作実績を判定する（ステップＳ１５）。
【００４９】
操作者（看護師）の操作実績が低いと判定した場合に（ステップＳ１５；Ｎｏ）、薬剤登録装置２０のＭＰＵ３１は、印刷確認画面Ｇ７を表示させる（ステップＳ１６）。ここで、図１３は、印刷確認画面Ｇ７の一例を示す説明図である。印刷確認画面Ｇ７は、図１３に示すように、印刷の実行を確認する画面である。印刷確認画面Ｇ７は、取消ボタンＢ５と、ＯＫボタンＢ６とを備える。取消ボタンＢ５は、印刷を取り消すボタンである。ＯＫボタンＢ６は、印刷を実行するボタンである。
【００５０】
取消ボタンＢ５が押下された場合に（ステップＳ１７；Ｙｅｓ）、薬剤登録装置２０のＭＰＵ３１は、印刷を取り消しステップＳ１４に戻る。取消ボタンＢ５が押下されない場合に（ステップＳ１７；Ｎｏ）、薬剤登録装置２０のＭＰＵ３１は、ステップＳ１８に移行する。ＯＫボタンＢ６が押下された場合に（ステップＳ１８；Ｙｅｓ）、薬剤登録装置２０のＭＰＵ３１は、印刷を実行させる（ステップＳ１９）。ＯＫボタンＢ６が押下されない場合（ステップＳ１８；Ｎｏ）、薬剤登録装置２０のＭＰＵ３１は、ステップＳ１７に戻り待機する。
【００５１】
操作者（看護師）の操作実績が高いと判定した場合に（ステップＳ１５；Ｙｅｓ）、薬剤登録装置２０のＭＰＵ３１は、まとめ表示確認画面Ｇ５を表示せずに、印刷を実行させる（ステップＳ１９）。
【００５２】
以上のように、本実施形態によれば、操作者マスタＤＢ２は、操作者の薬剤登録装置２０に対する操作実績に関する情報を備える。判定手段３１６は、操作者の薬剤登録装置２０に対する操作実績を判定して確認画面を表示するか否かを判定している。よって、操作者の操作実績に応じて確認画面が表示されることから効率化を改善することが可能となる。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５４】
なお、上記実施形態では、操作者の操作実績が高い場合に、確認画面の表示を省略している。しかし、操作者の操作実績が高い場合であっても、重要度の高い操作を行う操作を行う場合には、確認画面を表示させてもよい。例えば、データの削除などの元に戻すことができない操作は、確認画面を表示させてもよい。これにより、誤操作によって、必要なデータが削除されてしまうことを防ぐことが可能になる。
【００５５】
また、操作の重要度の度合いは、複数の段階に分けてもよい。この場合には、操作者の操作実績も、複数の段階に分けることが好ましい。このように、判定手段３１６は、２以上の段階で表現される操作実績の度合いと、２以上の段階で表現される操作の重要度の度合いとから確認画面を表示させるか否かを判定してもよい。この場合には、操作者の操作実績の度合いが、操作の重要度の度合いより高い場合に、判定手段３１６は、確認画面の表示を省略する。これより、より詳細な操作実績と重要度とに応じて確認画面が表示されることから、操作ミスを削減しつつ効率化を改善することが可能となる。
【００５６】
また、操作者の操作実績は、操作の種類ごとに設定されてもよい。この場合には、判定手段３１６は、操作者が行った操作内容ごとに操作実績を判定することで、処理を省略するか否かを判定する。例えば、印刷ボタンＢ２による印刷を頻繁に行っている操作者が印刷ボタンＢ２を押下した場合に、判定手段３１６は、印刷確認画面Ｇ７を省略する。しかし、その操作者が、まとめ表示ボタンＢ１によるまとめ表示は行っていないに、まとめ表示ボタンＢ１が押下された場合に、判定手段３１６は、まとめ表示確認画面Ｇ５を省略しないなどである。これにより、操作者が慣れている操作に応じて確認画面が表示されることから、操作ミスを削減しつつ効率化を改善することが可能となる。
【００５７】
なお、上記実施形態では、薬剤に付されたバーコードや二次元コードなどのコードシンボルからコード情報を読み取ると説明しているが、コード情報は、コードシンボル以外であってもよい。例えば、コード情報は、ＲＦＩＤなどからコード情報を読み取るとしてもよい。この場合には、ＲＦＩＤリーダライタ等を新たに備えればよい。
【００５８】
なお、上記実施形態では、フローチャートにおいて、患者ＩＤを入力すると説明しているが、患者ＩＤは入力しないとしてもよい。これにより、急患の患者が運ばれてきた際にも速やかに業務を行うことが可能となる。
【００５９】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００６０】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００６１】
３１    ＭＰＵ
３１３  読取手段
３１６  判定手段
３１７  入力手段
３４    外部記憶装置
ＤＢ２  操作者マスタ
Ｇ５    まとめ表示確認画面
Ｇ７    印刷確認画面
【先行技術文献】
【特許文献】
【００６２】
【特許文献１】特開２００２−１６３３５７号公報
【図１】
2015041286.tif 000003
【図２】
2015041286.tif 000004
【図３】
2015041286.tif 000005
【図４】
2015041286.tif 000006
【図５】
2015041286.tif 000007
【図６】
2015041286.tif 000008
【図７】
2015041286.tif 000009
【図８】
2015041286.tif 000010
【図１０】
2015041286.tif 000011
【図１１】
2015041286.tif 000012
【図１２】
2015041286.tif 000013
【図１３】
2015041286.tif 000014
【図９】
2015041286.tif 000015